(57)【要約】      （修正有）【課題】携帯性と利便性のある簡易トイレを提供する。【解決手段】折り畳み式パイプ椅子の座部には、穴あき部が設けられ、受け袋がとりつけられて、前記座部の穴あき部の周囲と同じ周囲の穴をもつ、蓋付きの合成樹脂製の便座が設けられた椅子式簡易トイレであって、座部と便座の間には、ポリ袋の開口周辺部を簡単に挟み込んで固定し、ポリ袋を簡単に取替え可能とした。又、目隠し用の囲い幕を簡単に取り付けられることも可能とした。【選択図】図７
0003144326.tif 000002
【実用新案登録請求の範囲】
【請求項１】
折り畳み可能なパイプ椅子において、このパイプ椅子の座部には、穴あき部が設けられて、受け袋がとりつけられて、前記座部の穴あき部の周囲と同じ周囲の穴をもつ蓋付きの合成樹脂製の便座が設けられた椅子式簡易トイレであって、前記座部の穴あき部の周囲と、前記便座の間には、ポリ袋の開口周辺部を簡単に挟み込んで固定し、ポリ袋を簡単に取替え可能としたことを特徴とする。
又、目隠し用の囲い幕も  簡単に取り付ける事も  可能とした事を、特徴とする。
【考案の詳細な説明】
【技術分野】
【０００１】本考案は、パイプフレーム・テント帆布・合成樹脂からなる簡易トイレに関する。
【背景技術】
【０００２】従来あるポータブルトイレは、屋内での使用型が多く、紙製・木製・プラスチック製が  ほとんどであり、重量があったり、軽量でも耐久性に乏しい等の難点がある。
又、使用する際に簡易でないものもあれば、専用袋の使用が不可欠な物もあり、多用する際のコスト面にも問題がある。
【考案の開示】
【考案が解決しようとする課題】
【０００３】従来あるポータブルトイレは、屋内での使用型が大半を占めており、木製では重く、持ち運びに不便であったり、紙・プラスチック製では、サイズが大きく携帯性に問題があり、組立式の場合は、不安定であったり、強度に問題があったりと、屋外での使用には、耐久性等、不便な面も多く、不向きである。
【課題を解決するための手段】
【０００４】本考案は、折りたたみが出来るパイプフレームに、ビニールテント製の座部に、穴あき部と受け袋が設けられた折りたたみ式パイプ椅子において、前記座部と同じ周囲の穴あき部をもつ、合成樹脂製で、蓋付きのはめ込み枠をもった便座椅子に取付け便座の開閉を簡単にする事で、ポリ袋の交換が容易で多く使用する事が可能である。
又、周囲からの目隠しが可能な囲い幕も、簡単に取付けることができ、携帯用として、屋内外で気軽に使用出来る。
【考案を実施するための最良の形態】
【０００５】図１に示すように、２本の軸で折り畳みを可能としたパイプフレームによる骨組み状態での椅子。
図２に示すように、テント帆布製の座部に、開口部が設けられ受け袋がつく。テント帆布製の座部は、図３に示す方法にて、椅子前後のパイプフレームに、取り付けてある。
図４に示すように、座部の開口部と同じ周囲の開口部をもつ便座で、蓋をする事も可能。
図５は、便座の開口部に、蓋を置いた断面図。
図６に示すように、椅子の座部の開口部に、ポリ袋の開口部を置き、椅子前部のパイプフレームに挟んだ合成樹脂製の便座を椅子後方のパイプフレームに挟み込み、固定する。
図７に示すように、座部の開口部に、便座の開口部を合わせ、椅子の前後のフレームに挟み込み固定する事により、安定性と、耐久性を併せ持つ事が、可能となる。
図８に示すように、軽量パイプの使用と、折り畳みが出来る事で、非常にコンパクトになり、携帯性にも優れる。
図９に示すように、囲い幕用のフレームを差し込み、回転させて組み立てる。
図１０に示すように、囲い幕用のフレームを、椅子のフレームに差し込み、固定する。
図１１に示すように、囲い幕は、２４・２５の袋状に縫製された部分に１９・２０のフレームを差し込む事で、椅子に取り付ける事が可能。
図１２は、囲い幕使用時の斜視図。
【考案の効果】
【０００６】折り畳みが簡単であるパイプ椅子において、開口部が設けられた帆布製の受け袋が付いた座部を設け、この開口部にポリ袋の開口部を、着脱可能な樹脂製の便座で挟み込む事により、使用可能とした椅子式簡易トイレである。
パイプ椅子の有する軽量かつコンパクトな携帯の利便性と、ポリ袋を使用する事で、経済性かつ実用性にも優れる。
構造をフレーム・座部・便座と、一体化する事により、耐久性と安定性を兼ね備える。
目隠し用囲い幕を  容易に設置可能とした事で、屋内外での使用も、容易に出来るものとした。
【符号の説明】
【０００７】１：椅子のフレーム
２：椅子のフレーム
３：椅子背部のフレーム
４：囲い幕用フレームの取り付け金具
５：椅子の補助金具
６：支点軸
７：支点軸
８：テント帆布製の座部
９：受け袋が座部と一体化してる状態
１０：座部の開口部
１１：椅子のフレーム取り付け穴
１２：合成樹脂製の便座
１３：便座の蓋
１４：便座の開口部
１５：便座開口部の形状で蓋を受けて座部の穴にポリ袋を挟み込む
１６：椅子のフレームに座部を挟み込む
１７：椅子のフレームに座部を挟み込む
１８：ポリ袋
１９：囲い幕用のフレーム
２０：囲い幕用のフレーム
２１：囲い幕用の支柱パイプ
２２：囲い幕用の支柱パイプ
２３：目隠し用の囲い幕
２４：囲い幕用フレームを差し込む為の袋
２５：囲い幕用フレームを差し込む為の袋
２６：囲い幕用取り付けテープ
２７：囲い幕用取り付けテープ
２８：人の出入り口の締め切り用テープ
２９：人の出入り口の締め切り用テープ
【図１】
0003144326.tif 000003
【図２】
0003144326.tif 000004
【図３】
0003144326.tif 000005
【図４】
0003144326.tif 000006
【図５】
0003144326.tif 000007
【図６】
0003144326.tif 000008
【図７】
0003144326.tif 000009
【図８】
0003144326.tif 000010
【図９】
0003144326.tif 000011
【図１０】
0003144326.tif 000012
【図１１】
0003144326.tif 000013
【図１２】
0003144326.tif 000014
【手続補正書】
【提出日】平成20年5月23日(2008.5.23)
【手続補正１】
【補正対象書類名】実用新案登録請求の範囲
【補正対象項目名】全文
【補正方法】変更
【補正の内容】
【実用新案登録請求の範囲】
【請求項１】
折り畳み可能なパイプ椅子において、このパイプ椅子の座部には、穴あき部を設けており、更に、穴あき部の周囲と同じ周囲を持つ合成樹脂製の便座を設けて、重ね合わせる事により、間にポリ袋を簡単に挟み込んで使用することを可能とし、交換する事を容易とし、目隠し用の囲い幕も、簡単に取付け可能とした折り畳み式簡易トイレ。
【手続補正２】
【補正対象書類名】明細書
【補正対象項目名】全文
【補正方法】変更
【補正の内容】
【考案の詳細な説明】
【技術分野】
【０００１】本考案は、パイプフレーム・テント帆布・合成樹脂からなる簡易トイレに関する。
【背景技術】
【０００２】従来あるポータブルトイレは、屋内での使用型が多く、紙製・木製・プラスチック製がほとんどであり、重量があったり、軽量でも耐久性に乏しい等の難点がある。
又、使用する際に簡易でないものもあれば、専用袋の使用が不可欠な物もあり多用する際のコスト面にも問題がある。
【考案の開示】
【考案が解決しようとする課題】
【０００３】従来あるポータブルトイレは、屋内での使用型が大半を占めており、木製では重く、持ち運びに不便であったり、紙・プラスチック製では、サイズが大きく携帯性に問題があり、組立式の場合は、不安定であったり強度に問題があったりと、屋外での使用には、耐久性等、不便な面も多く不向きである。
【課題を解決するための手段】
【０００４】本考案は、折り畳み可能なパイプ椅子において、このパイプ椅子の座部には、穴あき部を設けており、更に、穴あき部のサイズと同じサイズをもつ合成樹脂製の便座を設けて、重なり合わせる事により、間にポリ袋を簡単に挟みこんで使用する事を可能とし、交換する事を容易とし、目隠し用の囲い幕も、取付け可能とした折り畳み式簡易トイレ。
【考案を実施するための最良の形態】
【０００５】図１に示すように、２本の軸で折り畳みを可能としたパイプフレームによる骨組み状態での椅子。
図２に示すように、テント帆布製の座部に、開口部が設けられ受け袋がつく。テント帆布製の座部は、図３に示す方法にて、椅子前後のパイプフレームに、取り付けてある。
図４に示すように、座部の開口部と同じ周囲の開口部をもつ便座で、蓋をする事も可能。
図５は、便座の開口部に、蓋を置いた断面図。
図６に示すように、椅子の座部の開口部に、ポリ袋の開口部を置き、椅子前部のパイプフレームに挟んだ合成樹脂製の便座を椅子後方のパイプフレームに挟み込み、固定する。
図７に示すように、座部の開口部に、便座の開口部を合わせ、椅子の前後のフレームに挟み込み固定する事により、安定性と、耐久性を併せ持つ事が、可能となる。
図８に示すように、軽量パイプの使用と、折り畳みが出来る事で、非常にコンパクトになり、携帯性にも優れる。
図９に示すように、囲い幕用のフレームを差し込み、回転させて組み立てる。
図１０に示すように、囲い幕用のフレームを、椅子のフレームに差し込み、固定する。
図１１に示すように、囲い幕は、２４・２５の袋状に縫製された部分に１９・２０のフレームを差し込む事で、椅子に取り付ける事が可能。
【考案の効果】
【０００６】折り畳みが簡単であるパイプ椅子において、開口部が設けられた帆布製の受け袋が付いた座部を設け、この開口部にポリ袋の開口部を着脱可能な樹脂製の便座で挟み込む事により、使用可能とした椅子式簡易トイレである。
パイプ椅子の有する軽量かつコンパクトな携帯の利便性と、ポリ袋を使用する事で、経済性かつ実用性にも優れる。
構造をフレーム・座部・便座と、一体化する事により、耐久性と安定性を兼ね備える。
目隠し用囲い幕を  容易に設置可能とした事で、屋内外での使用も容易に出来るものとした。
【図面の簡単な説明】
【０００７】
【図１】折り畳み椅子のパイプフレームを示した斜視図である。
【図２】椅子の座部に  開口部を設け、受け袋がついた座部をを示した斜視図である。
【図３】椅子のパイプフレームに、座部が付いた状態を示した斜視図である。
【図４】座部と同じ開口部をもつ便座と、蓋の斜視図である。
【図５】便座の蓋の側面断面図である。
【図６】椅子の座部で、ポリ袋を挟み込み固定する、本発明の具体化した折り畳み式簡易トイレの実施形態を示した斜視図である。
【図７】本発明の、折り畳み式簡易トイレの斜視図である。
【図８】本発明の、折り畳み式簡易トイレを畳んだ状態の姿図である。
【図９】囲い幕用のフレームの、組み立て実施形態を示した斜視図である。
【図１０】本発明の椅子に、囲い幕用フレームが付いた状態を示した斜視図である。
【図１１】本発明の折り畳み式簡易トイレ椅子用の囲い幕を示した姿図である。
【図１２】本発明の折り畳み式簡易トイレ椅子用の囲い幕を使用した状態を示した斜視図である。
【符号の説明】
【０００８】  １：椅子のフレーム
２：椅子のフレーム
３：椅子背部のフレーム
４：囲い幕用フレームの取り付け金具
５：椅子の補助金具
６：支点軸
７：支点軸
８：テント帆布製の座部
９：受け袋が座部と一体化してる状態
１０：座部の開口部
１１：椅子のフレーム取り付け穴
１２：合成樹脂製の便座
１３：便座の蓋
１４：便座の開口部
１５：便座開口部の形状で蓋を受けて座部の穴にポリ袋を挟み込む
１６：椅子のフレームに座部を挟み込む
１７：椅子のフレームに座部を挟み込む
１８：ポリ袋
１９：囲い幕用のフレーム
２０：囲い幕用のフレーム
２１：囲い幕用の支柱パイプ
２２：囲い幕用の支柱パイプ
２３：目隠し用の囲い幕
２４：囲い幕用フレームを差し込む為の袋
２５：囲い幕用フレームを差し込む為の袋
２６：囲い幕用取り付けテープ
２７：囲い幕用取り付けテープ
２８：人の出入り口の締め切り用テープ
２９：人の出入り口の締め切り用テープ